(57)【要約】【課題】本発明は自動車マッサージクッションを開示した。【解決手段】使用する時、ハンドルを振り、それにより回転盤の回転によって貫通軸と、第一ウォームを回転連動させ、それにより第一ウォームホイールとねじを回転連動させ、それによりねじスリーブの上下移動を連動させ、それにより支持鋼板の上下移動によってクッションの高さを調整でき、そしてゴムバンドをシートに掛け、そしてモーターを始動し、それにより連動軸によって大歯車の噛合しによってもう一本の連動軸を回転連動させ、それにより連結棒を回転連動させ、それにより回転している押さえヘッドによって人の下脊椎に押さえてマッサージし、連動軸が回転してそれにより第二ウォームによって第二ウォームホイールを回転連動させ、駆動軸の回転によって、それによりプーリによってすべての紐輪を回転連動させる。【選択図】図１
2020171635.tif 000002
【特許請求の範囲】
【請求項１】
自動車マッサージクッションであって、台座を含み、前記台座の上端面には昇降ブロックが設置されており、前記昇降ブロックの右端にはクッションがスライドできるように連結されており、前記クッションの上端面には背当てが固定的に設置されており、前記背当ての左端面には昇降溝が設置されており、前記昇降溝と前記昇降ブロックとがスライドできるように連結されており、前記昇降溝の右端壁には位置制限溝が設置されており、前記昇降ブロックの右端面には前記位置制限溝とスライドできるように連結される位置制限ブロックが固定的に設置されており、前記背当ての左端面には上下に対称的に前記背当てを固定できるコムバンドが固定的に設置されており、前記背当ての上端面にはヘッドレストが固定的に設置されており、前記クッションの中には支持鋼板が設置されており、前記支持鋼板の下端面には左右に対称的に安定ブロックが固定的に設置されており、前記安定ブロックが前記クッションの下端面を貫通しており、前記台座の上端面には左右に対称的に前記安定ブロックとスライドできるように連結される安定溝が設置されており、前記台座の中には調節溝が設置されており、前記調節溝の中には調節装置が設置されており、前記調節装置は前記支持鋼板の上下移動を駆動することによって、前記クッションの高さを調整し、前記背当ての中には上マッサージチャンバが設置されており、前記上マッサージチャンバの上下端壁の間には矩形スライド棒が固定的に連結され、前記矩形スライド棒には貫通スライダがスライドできるように連結され、前記貫通スライダの前後両端には短い軸が対称的に回転できるように連結され、二つの前記短い軸の中端にはそれぞれ小歯車が固定的に設置されており、前記上マッサージチャンバの左端壁には前記小歯車と噛み合う長いラックが前後に対称的に設置されており、前記短い軸のうち前記矩形スライド棒から離れている一端にはマッサージブロックが固定的に設置されており、前記マッサージブロックにはマッサージできるマッサージヘッドが設置されており、前記上マッサージチャンバの左端壁には抜き穴が上下前後に対称的に設置されており、前記抜き穴の左端には駆動チャンバが連通しており、前記駆動チャンバの中には駆動装置が設置されており、
前記駆動装置は前記マッサージブロックの上下移動を制御でき、前記上マッサージチャンバの下端には下マッサージチャンバが設置されており、前記下マッサージチャンバの中にはマッサージ装置が設置されており、前記マッサージ装置は前記駆動装置の回転を制御することを特徴とする自動車マッサージクッション。
【請求項２】
前記調節装置は前記調節溝の前後端壁と回転できるように連結される貫通軸を含み、前記貫通軸は前へ伸びて前記調節溝の前端壁を貫通して外部空間に入り、且つ前記台座の前端面と回転できるように連結され、前記貫通軸の前端には回転盤が固定的に設置されており、前記回転盤の前端面にはハンドルが回転できるように連結され、前記貫通軸のうち前記調節溝の中に位置する部分には第一ウォームが固定的に設置されており、前記調節溝の下端壁にはねじが回転できるように連結され、前記ねじの下端には前記第一ウォームと噛み合う第一ウォームホイールが固定的に設置されており、前記ねじの上端にはねじスリーブがネジ山により連結され、前記ねじスリーブの上端が前記調節溝の上端壁を貫通して且つ前記支持鋼板の下端面と固定的に連結され、前記ねじスリーブが、前記調節溝の上端壁と前記台座の上端面とスライドできるように連結されており、
前記ハンドルを振り、それにより前記回転盤の回転によって前記貫通軸と、前記第一ウォームを回転連動させ、それにより前記第一ウォームホイールと前記ねじを回転連動させ、それにより前記ねじスリーブを上下移動連動させ、それにより前記支持鋼板の上下移動によって前記クッションを上下移動連動させることを特徴とする請求項１に記載の自動車マッサージクッション。
【請求項３】
前記駆動装置は上下に対称的な、前記駆動チャンバの前後端壁と回転できるように連結される駆動軸を含み、前記駆動軸の後端の外周にはプーリが設置されており、二つの前記プーリの間にはベルトが連結され、前記駆動軸の前端外周には紐輪が前後に対称的に固定的に設置されており、上端の前記紐輪はそれぞれ紐が固定的に設置されており、二本の前記紐のもう一端はそれぞれ対応の前記抜き穴を貫通し前記上マッサージチャンバの中に入り、それぞれ対応している貫通スライダの上端面と固定的に連結され、下端の前記紐輪はそれぞれほかの二本の前記紐の一端と固定的に連結され、下端の二本の前記紐のもう一端がそれぞれ対応している前記抜き穴を貫通して前記上マッサージチャンバの中に入り、それぞれ対応している前記貫通スライダの下端面と固定的に連結され、その中の下端の前記駆動軸の最前端の外周には第二ウォームホイールが固定的に設置されており、
使用する時、前記駆動軸の回転によって、前記プーリによってすべての前記紐輪を回転連動させ、それにより前記紐によって前記貫通スライダを上又は下へ移動連動させ、前記長いラックによって前記短い軸を回転連動させ、前記マッサージブロックの回転と上下移動によって人の上脊椎をマッサージすることを特徴とする請求項１に記載の自動車マッサージクッション。
【請求項４】
前記マッサージ装置は前後に対称的な、前記下マッサージチャンバの左右端壁と回転できるように連結される連動軸を含み、前記連動軸の右端には連結棒が固定的に設置されており、前記連結棒の右端面には回転軸が上下に対称的に回転できるように連結され、前記回転軸の右端には押さえてマッサージできる押さえヘッドが固定的に設置されており、前記連動軸の左端には噛み合う大歯車がそれぞれ固定的に設置されており、前記駆動チャンバの右端壁にはモーターが固定的に設置されており、前記モーターの右端と後端の前記連動軸が伝動できるように連結され、前端の前記連動軸が左へ伸びており、前記駆動チャンバの中に入り、且つ前記駆動チャンバの左右の端壁と回転できるように連結され、前端の前記連動軸のうち前記駆動チャンバの中に位置する部分には第二ウォームが固定的に設置されており、
前記第二ウォームと前記第二ウォームホイールと噛み合い、モーターを始動し、それにより連動軸によって前記大歯車の噛合によってもう一本の前記連動軸を回転連動させ、それにより前記連結棒を回転連動させ、それにより回転している前記押さえヘッドによって人の下脊椎を揉んでマッサージすることを特徴とする請求項１に記載の自動車マッサージクッション。
【発明の詳細な説明】
【技術分野】
【０００１】
本発明は自動車用品分野を取り上げて、具体的には自動車マッサージクッションである。
【背景技術】
【０００２】
現在、益々多くの人は自分の自動車を持っており、長い時間の運転は運転者の脊椎に負担を負わせ、それにより身体の健康に影響を与え、それに現有の自動車シートは傾斜角度とハンドルとの距離しか調整できなく、高さも調整できなく、ところが女性運転者の身長が低くて、運転に不便である。
【先行技術文献】
【特許文献】
【０００３】
【特許文献１】中国特許出願公開第104276068号明細書
【発明の概要】
【発明が解決しようとする課題】
【０００４】
本発明の目的は自動車のマッサージクッションを提供し、上記背景技術に提出される問題を解決できる。
【課題を解決するための手段】
【０００５】
図１−３を参考して、本発明が提出する実施例：自動車マッサージクッションは、台座を含み、前記台座の上端面には昇降ブロックが設置されており、前記昇降ブロックの右端にはクッションがスライドできるように連結されており、前記クッションの上端面には背当てが固定的に設置されており、前記背当ての左端面には昇降溝が設置されており、前記昇降溝と前記昇降ブロックとがスライドできるように連結されており、前記昇降溝の右端壁には位置制限溝が設置されており、前記昇降ブロックの右端面には前記位置制限溝とスライドできるように連結される位置制限ブロックが固定的に設置されており、前記背当ての左端面には上下に対称的に前記背当てを固定できるコムバンドが固定的に設置されており、前記背当ての上端面にはヘッドレストが固定的に設置されており、前記クッションの中には支持鋼板が設置されており、前記支持鋼板の下端面には左右に対称的に安定ブロックが固定的に設置されており、前記安定ブロックが前記クッションの下端面を貫通しており、前記台座の上端面には左右に対称的に前記安定ブロックとスライドできるように連結される安定溝が設置されており、前記台座の中には調節溝が設置されており、前記調節溝の中には調節装置が設置されており、前記調節装置は前記支持鋼板の上下移動を駆動することによって、前記クッションの高さを調整し、前記背当ての中には上マッサージチャンバが設置されており、前記上マッサージチャンバの上下端壁の間には矩形スライド棒が固定的に連結され、前記矩形スライド棒には貫通スライダがスライドできるように連結され、前記貫通スライダの前後両端には短い軸が対称的に回転できるように連結され、二つの前記短い軸の中端にはそれぞれ小歯車が固定的に設置されており、前記上マッサージチャンバの左端壁には前記小歯車と噛み合う長いラックが前後に対称的に設置されており、前記短い軸のうち前記矩形スライド棒から離れている一端にはマッサージブロックが固定的に設置されており、前記マッサージブロックにはマッサージできるマッサージヘッドが設置されており、前記上マッサージチャンバの左端壁には抜き穴が上下前後に対称的に設置されており、
前記抜き穴の左端には駆動チャンバが連通しており、前記駆動チャンバの中には駆動装置が設置されており、前記駆動装置は前記マッサージブロックの上下移動を制御でき、前記上マッサージチャンバの下端には下マッサージチャンバが設置されており、前記下マッサージチャンバの中にはマッサージ装置が設置されており、前記マッサージ装置は前記駆動装置の回転を制御する。
【０００６】
更なる技術方案、前記調節装置は前記調節溝の前後端壁と回転できるように連結される貫通軸を含み、前記貫通軸は前へ伸びて前記調節溝の前端壁を貫通して外部空間に入り、且つ前記台座の前端面と回転できるように連結され、前記貫通軸の前端には回転盤が固定的に設置されており、前記回転盤の前端面にはハンドルが回転できるように連結され、前記貫通軸のうち前記調節溝の中に位置する部分には第一ウォームが固定的に設置されており、前記調節溝の下端壁にはねじが回転できるように連結され、前記ねじの下端には前記第一ウォームと噛み合う第一ウォームホイールが固定的に設置されており、前記ねじの上端にはねじスリーブがネジ山により連結され、前記ねじスリーブの上端が前記調節溝の上端壁を貫通して且つ前記支持鋼板の下端面と固定的に連結され、前記ねじスリーブが、前記調節溝の上端壁と前記台座の上端面とスライドできるように連結されており、
前記ハンドルを振り、それにより前記回転盤の回転によって前記貫通軸と、前記第一ウォームを回転連動させ、それにより前記第一ウォームホイールと前記ねじを回転連動させ、それにより前記ねじスリーブを上下移動連動させ、それにより前記支持鋼板の上下移動によって前記クッションを上下移動連動させる。
【０００７】
更なる技術方案、前記駆動装置は上下に対称的な、前記駆動チャンバの前後端壁と回転できるように連結される駆動軸を含み、前記駆動軸の後端の外周にはプーリが設置されており、二つの前記プーリの間にはベルトが連結され、前記駆動軸の前端外周には紐輪が前後に対称的に固定的に設置されており、上端の前記紐輪はそれぞれ紐が固定的に設置されており、二本の前記紐のもう一端はそれぞれ対応の前記抜き穴を貫通し前記上マッサージチャンバの中に入り、それぞれ対応している貫通スライダの上端面と固定的に連結され、下端の前記紐輪はそれぞれほかの二本の前記紐の一端と固定的に連結され、下端の二本の前記紐のもう一端がそれぞれ対応している前記抜き穴を貫通して前記上マッサージチャンバの中に入り、それぞれ対応している前記貫通スライダの下端面と固定的に連結され、その中の下端の前記駆動軸の最前端の外周には第二ウォームホイールが固定的に設置されており、
使用する時、前記駆動軸の回転によって、前記プーリによってすべての前記紐輪を回転連動させ、それにより前記紐によって前記貫通スライダを上又は下へ移動連動させ、前記長いラックによって前記短い軸を回転連動させ、前記マッサージブロックの回転と上下移動によって人の上脊椎をマッサージする。
【０００８】
更なる技術方案、前記マッサージ装置は前後に対称的な、前記下マッサージチャンバの左右端壁と回転できるように連結される連動軸を含み、前記連動軸の右端には連結棒が固定的に設置されており、前記連結棒の右端面には回転軸が上下に対称的に回転できるように連結され、前記回転軸の右端には押さえてマッサージできる押さえヘッドが固定的に設置されており、前記連動軸の左端には噛み合う大歯車がそれぞれ固定的に設置されており、前記駆動チャンバの右端壁にはモーターが固定的に設置されており、前記モーターの右端と後端の前記連動軸が伝動できるように連結され、前端の前記連動軸が左へ伸びており、前記駆動チャンバの中に入り、且つ前記駆動チャンバの左右の端壁と回転できるように連結され、前端の前記連動軸のうち前記駆動チャンバの中に位置する部分には第二ウォームが固定的に設置されており、
前記第二ウォームと前記第二ウォームホイールと噛み合い、モーターを始動し、それにより連動軸によって前記大歯車の噛合によってもう一本の前記連動軸を回転連動させ、それにより前記連結棒を回転連動させ、それにより回転している前記押さえヘッドによって人の下脊椎を揉んでマッサージする。
【発明の効果】
【０００９】
本発明の有益な効果は下記の通りである：
【００１０】
本装置はシートの高さを調節でき、それにより背が低い女性運転者が適応な高さで自動車を操作できるようにさせ、同時に人の上下脊椎にそれぞれマッサージでき、運転者の脊椎の健康も保証できる。
【図面の簡単な説明】
【００１１】
【図１】は本発明の自動車マッサージクッションの全体断面の正面構成模式図であり；
【図２】は本発明の図１のＢ−Ｂ方向の断面図
【図３】は本発明の図１のＡ−Ａ方向の断面図
【図４】は本発明の図１のＣ−Ｃ方向の断面図
【発明を実施するための形態】
【００１２】
本説明書に公開されるいずれもの特徴、或いは公開されるいずれもの方法或いは過程中の順序は互いに排斥する特徴／或いは順序以外、いかなる方式によって組み合わせる。
【００１３】
本説明書（いかなる付加特許請求と、摘要と付図を含み）の中に公開されるいかなる特徴は特別な叙述以外、ほかの同等或いは似る目的のある切替特徴に切り替えられる。即ち、特別な叙述以外、特徴はシリーズの同等或いは似る特徴の中の一つの例だけである。
【００１４】
以下は図１−３について本発明にを詳しく説明し、その中、便利に叙述するように、現在は後文に出る方位を下記の通りに規定する：後文に出る上下左右前後方向は図１本体の投影関係の上下左右前後方向と一致する。
【００１５】
図１−３を参考して、本発明が提出する実施例：自動車マッサージクッションは、台座６５を含み、前記台座６５の上端面には昇降ブロック３２が設置されており、前記昇降ブロック３２の右端にはクッション４２がスライドできるように連結されており、前記クッション４２の上端面には背当て２２が固定的に設置されており、前記背当て２２の左端面には昇降溝３０が設置されており、前記昇降溝３０と前記昇降ブロック３２とがスライドできるように連結されており、前記昇降溝３０の右端壁には位置制限溝２９が設置されており、前記昇降ブロック３２の右端面には前記位置制限溝２９とスライドできるように連結される位置制限ブロック３１が固定的に設置されており、前記背当て２２の左端面には上下に対称的に前記背当て２２を固定できるコムバンド２４が固定的に設置されており、前記背当て２２の上端面にはヘッドレスト２１が固定的に設置されており、前記クッション４２の中には支持鋼板４１が設置されており、前記支持鋼板４１の下端面には左右に対称的に安定ブロック３３が固定的に設置されており、前記安定ブロック３３が前記クッション４２の下端面を貫通しており、前記台座６５の上端面には左右に対称的に前記安定ブロック３３とスライドできるように連結される安定溝３４が設置されており、前記台座６５の中には調節溝３５が設置されており、前記調節溝３５の中には調節装置１０１が設置されており、前記調節装置１０１は前記支持鋼板４１の上下移動を駆動することによって、前記クッション４２の高さを調整し、前記背当て２２の中には上マッサージチャンバ５７が設置されており、前記上マッサージチャンバ５７の上下端壁の間には矩形スライド棒５２が固定的に連結され、前記矩形スライド棒５２には貫通スライダ４８がスライドできるように連結され、前記貫通スライダ４８の前後両端には短い軸５８が対称的に回転できるように連結され、二つの前記短い軸５８の中端にはそれぞれ小歯車４９が固定的に設置されており、前記上マッサージチャンバ５７の左端壁には前記小歯車４９と噛み合う長いラック５３が前後に対称的に設置されており、前記短い軸５８のうち前記矩形スライド棒５２から離れている一端にはマッサージブロック５０が固定的に設置されており、前記マッサージブロック５０にはマッサージできるマッサージヘッド５１が設置されており、前記上マッサージチャンバ５７の左端壁には抜き穴５４が上下前後に対称的に設置されており、前記抜き穴５４の左端には駆動チャンバ２３が連通しており、前記駆動チャンバ２３の中には駆動装置１０２が設置されており、
前記駆動装置１０２は前記マッサージブロック５０の上下移動を制御でき、前記上マッサージチャンバ５７の下端には下マッサージチャンバ５６が設置されており、前記下マッサージチャンバ５６の中にはマッサージ装置１０３が設置されており、前記マッサージ装置１０３は前記駆動装置１０２の回転を制御する。
【００１６】
前記調節装置１０１は前記調節溝３５の前後端壁と回転できるように連結される貫通軸３７を含み、前記貫通軸３７は前へ伸びて前記調節溝３５の前端壁を貫通して外部空間に入り、且つ前記台座６５の前端面と回転できるように連結され、前記貫通軸３７の前端には回転盤６４が固定的に設置されており、前記回転盤６４の前端面にはハンドル６３が回転できるように連結され、前記貫通軸３７のうち前記調節溝３５の中に位置する部分には第一ウォーム３８が固定的に設置されており、前記調節溝３５の下端壁にはねじ３９が回転できるように連結され、前記ねじ３９の下端には前記第一ウォーム３８と噛み合う第一ウォームホイール３６が固定的に設置されており、前記ねじ３９の上端にはねじスリーブ４０がネジ山により連結され、前記ねじスリーブ４０の上端が前記調節溝３５の上端壁を貫通して且つ前記支持鋼板４１の下端面と固定的に連結され、前記ねじスリーブ４０が、前記調節溝３５の上端壁と前記台座６５の上端面とスライドできるように連結されており、
前記ハンドル６３を振り、それにより前記回転盤６４の回転によって前記貫通軸３７と、前記第一ウォーム３８を回転連動させ、それにより前記第一ウォームホイール３６と前記ねじ３９を回転連動させ、それにより前記ねじスリーブ４０を上下移動連動させ、それにより前記支持鋼板４１の上下移動によって前記クッション４２を上下移動連動させる。
【００１７】
前記駆動装置１０２は上下に対称的な、前記駆動チャンバ２３の前後端壁と回転できるように連結される駆動軸２７を含み、前記駆動軸２７の後端の外周にはプーリ２５が設置されており、二つの前記プーリ２５の間にはベルト５９が連結され、前記駆動軸２７の前端外周には紐輪２６が前後に対称的に固定的に設置されており、上端の前記紐輪２６はそれぞれ紐５５が固定的に設置されており、二本の前記紐５５のもう一端はそれぞれ対応の前記抜き穴５４を貫通し前記上マッサージチャンバ５７の中に入り、それぞれ対応している貫通スライダ４８の上端面と固定的に連結され、下端の前記紐輪２６はそれぞれほかの二本の前記紐５５の一端と固定的に連結され、下端の二本の前記紐５５のもう一端がそれぞれ対応している前記抜き穴５４を貫通して前記上マッサージチャンバ５７の中に入り、それぞれ対応している前記貫通スライダ４８の下端面と固定的に連結され、その中の下端の前記駆動軸２７の最前端の外周には第二ウォームホイール６０が固定的に設置されており、
使用する時、前記駆動軸２７の回転によって、前記プーリ２５によってすべての前記紐輪２６を回転連動させ、それにより前記紐５５によって前記貫通スライダ４８を上又は下へ移動連動させ、前記長いラック５３によって前記短い軸５８を回転連動させ、前記マッサージブロック５０の回転と上下移動によって人の上脊椎をマッサージする。
【００１８】
前記マッサージ装置１０３は前後に対称的な、前記下マッサージチャンバ５６の左右端壁と回転できるように連結される連動軸４３を含み、前記連動軸４３の右端には連結棒４４が固定的に設置されており、前記連結棒４４の右端面には回転軸４５が上下に対称的に回転できるように連結され、前記回転軸４５の右端には押さえてマッサージできる押さえヘッド４６が固定的に設置されており、前記連動軸４３の左端には噛み合う大歯車４７がそれぞれ固定的に設置されており、前記駆動チャンバ２３の右端壁にはモーター２８が固定的に設置されており、前記モーター２８の右端と後端の前記連動軸４３が伝動できるように連結され、前端の前記連動軸４３が左へ伸びており、前記駆動チャンバ２３の中に入り、且つ前記駆動チャンバ２３の左右の端壁と回転できるように連結され、前端の前記連動軸４３のうち前記駆動チャンバ２３の中に位置する部分には第二ウォーム６２が固定的に設置されており、
前記第二ウォーム６２と前記第二ウォームホイール６０と噛み合い、モーター２８を始動し、それにより連動軸４３によって前記大歯車４７の噛合によってもう一本の前記連動軸４３を回転連動させ、それにより前記連結棒４４を回転連動させ、それにより回転している前記押さえヘッド４６によって人の下脊椎を揉んでマッサージする。
【００１９】
使用する時、ハンドル６３を振り、それにより回転盤６４の回転によって貫通軸３７と、第一ウォーム３８を回転連動させ、それにより第一ウォームホイール３６とねじ３９を回転連動させ、それによりねじスリーブ４０の上下移動を連動させ、それにより支持鋼板４１の上下移動によってクッション４２の高さを調整でき、そしてゴムバンド２４をシートに掛け、そしてモーター２８を始動し、それにより連動軸４３によって大歯車４７の噛合しによってもう一本の連動軸４３を回転連動させ、それにより連結棒４４を回転連動させ、それにより回転している押さえヘッド４６によって人の下脊椎に押さえてマッサージし、連動軸４３が回転してそれにより第二ウォーム６２によって第二ウォームホイール６０を回転連動させ、駆動軸２７の回転によって、それによりプーリ２５によってすべての紐輪２６を回転連動させ、それにより紐５５によって貫通スライダ４８を上へ移動連動させ、長いラック５３によって短い軸５８を回転連動させ、マッサージブロック５０が最上端に上昇する時、モーター２８を反転始動し、マッサージブロック５０を下へ移動連動させ、マッサージブロック５０の回転と上下移動によって人の上脊椎をマッサージする。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020171635.tif 000003
【図２】
2020171635.tif 000004
【図３】
2020171635.tif 000005
【図４】
2020171635.tif 000006
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
自動車マッサージクッションであって、台座を含み、前記台座の上端面には昇降ブロックが設置されており、前記昇降ブロックの右端にはクッションが連結されており、前記クッションは前記昇降ブロックに対してスライドでき、前記クッションの上端面には背当てが固定的に設置されており、前記背当ての左端面には昇降溝が設置されており、前記昇降溝に対し前記昇降ブロックがスライドできるように連結されており、前記昇降溝の右端壁には位置制限溝が設置されており、前記昇降ブロックの右端面には位置制限ブロックが固定的に設置されており、前記位置制限ブロックが前記位置制限溝に対しスライド可能に連結されており、前記背当ての左端面には上下に対称的に前記背当てを固定できるゴムバンドが固定的に設置されており、前記背当ての上端面にはヘッドレストが固定的に設置されており、前記クッションの中には支持鋼板が設置されており、前記支持鋼板の下端面には左右に対称的に安定ブロックが固定的に設置されており、前記安定ブロックが前記クッションの下端面を貫通しており、前記台座の上端面には左右に対称的に安定溝が設置されており、前記安定ブロックが前記安定溝に対しスライド可能に連結されており、前記台座の中には調節溝が設置されており、前記調節溝の中には調節装置が設置されており、前記調節装置は前記支持鋼板の上下移動を駆動することによって、前記クッションの高さを調整し、前記背当ての中には上マッサージチャンバが設置されており、前記上マッサージチャンバの上下端壁の間には矩形スライド棒が固定的に連結され、前記矩形スライド棒には貫通スライダがスライドできるように連結され、前記貫通スライダの前後両端には短い軸が対称的に回転できるように連結され、二つの前記短い軸にはそれぞれ小歯車が固定的に設置されており、前記上マッサージチャンバの左端壁には前記小歯車と噛み合う長いラックが前後に対称的に設置されており、前記短い軸のうち前記矩形スライド棒から離れている一端にはマッサージブロックが固定的に設置されており、前記マッサージブロックにはマッサージできるマッサージヘッドが設置されており、前記上マッサージチャンバの左端壁には抜き穴が上下前後に対称的に設置されており、前記抜き穴の左端には駆動チャンバが連通しており、前記駆動チャンバの中には駆動装置が設置されており、
前記駆動装置は前記マッサージブロックの上下移動を制御でき、前記上マッサージチャンバの下端には下マッサージチャンバが設置されており、前記下マッサージチャンバの中にはマッサージ装置が設置されており、前記マッサージ装置は前記駆動装置の回転を制御することを特徴とする自動車マッサージクッション。
【請求項２】
前記調節装置は前記調節溝の前後端壁において回転可能に設置される貫通軸を含み、前記貫通軸は前へ伸びて前記調節溝の前端壁を貫通して外部空間に入り、且つ前記台座の前端面の中には前記貫通軸が回転できるように連結され、前記貫通軸の前端には回転盤が固定的に設置されており、前記回転盤の前端面にはハンドルが回転できるように連結され、前記貫通軸のうち前記調節溝の中に位置する部分には第一ウォームが固定的に設置されており、前記調節溝の下端壁にはねじが回転できるように連結され、前記ねじの下端には前記第一ウォームと噛み合う第一ウォームホイールが固定的に設置されており、前記ねじの上端にはねじスリーブがネジ山により連結され、前記ねじスリーブの上端が前記調節溝の上端壁を貫通して且つ前記支持鋼板の下端面と固定的に連結され、前記ねじスリーブが、前記調節溝の上端壁と前記台座の上端面とスライドできるように連結されており、
前記ハンドルを回転させ、それにより前記回転盤の回転によって前記貫通軸と、前記第一ウォームを回転連動させ、それにより前記第一ウォームホイールと前記ねじを回転連動させ、それにより前記ねじスリーブを上下移動連動させ、それにより前記支持鋼板の上下移動によって前記クッションを上下移動連動させることを特徴とする請求項１に記載の自動車マッサージクッション。
【請求項３】
前記駆動装置は前記駆動チャンバの前後端壁の中に回転可能に連結された駆動軸を含み、前記駆動軸が前記駆動チャンバの中に上下対称に設置されており、前記駆動軸の後端の外周には二つのプーリが設置されており、二つの前記プーリの間にはベルトが連結され、前記駆動軸の前端外周には紐輪が前後に対称的に固定的に設置されており、上端の前記紐輪は紐の一端と固定的に連結されており、二本の前記紐のもう一端はそれぞれ対応の前記抜き穴を貫通し前記上マッサージチャンバの中に入り、それぞれ対応している貫通スライダの上端面と固定的に連結され、下端の前記紐輪はそれぞれほかの二本の前記紐の一端と固定的に連結され、下端の二本の前記紐のもう一端がそれぞれ対応している前記抜き穴を貫通して前記上マッサージチャンバの中に入り、それぞれ対応している前記貫通スライダの下端面と固定的に連結され、その中の下端の前記駆動軸の最前端の外周には第二ウォームホイールが固定的に設置されており、
使用する時、前記駆動軸の回転によって、前記プーリによってすべての前記紐輪を回転連動させ、それにより前記紐によって前記貫通スライダを上又は下へ移動連動させ、前記長いラックによって前記短い軸を回転連動させ、前記マッサージブロックの回転と上下移動によって人の上脊椎をマッサージすることを特徴とする請求項１に記載の自動車マッサージクッション。
【請求項４】
前記マッサージ装置は前記下マッサージチャンバの左右端壁の中に回転可能に連結された連動軸を含み、前記連動軸が前記下マッサージチャンバの中に前後対称に設置されており、前記連動軸の右端には連結棒が固定的に設置されており、前記連結棒の右端面には回転軸が上下に対称的に回転できるように連結され、前記回転軸の右端には押さえてマッサージできる押さえヘッドが固定的に設置されており、前記連動軸の左端には噛み合う大歯車がそれぞれ固定的に設置されており、前記駆動チャンバの右端壁にはモーターが固定的に設置されており、前記モーターの右端と後端の前記連動軸が伝動できるように連結され、前端の前記連動軸が左へ伸びており、前記駆動チャンバの中に入り、且つ前記駆動チャンバの左右の端壁と回転できるように連結され、前端の前記連動軸のうち前記駆動チャンバの中に位置する部分には第二ウォームが固定的に設置されており、
前記第二ウォームと前記第二ウォームホイールと噛み合い、モーターを始動し、それにより連動軸によって前記大歯車の噛合によってもう一本の前記連動軸を回転連動させ、それにより前記連結棒を回転連動させ、それにより回転している前記押さえヘッドによって人の下脊椎を揉んでマッサージすることを特徴とする請求項３に記載の自動車マッサージクッション。
【手続補正２】
【補正対象書類名】明細書
【補正対象項目名】全文
【補正方法】変更
【補正の内容】
【発明の詳細な説明】
【技術分野】
【０００１】
本発明は自動車用品分野を取り上げて、具体的には自動車マッサージクッションである。
【背景技術】
【０００２】
現在、益々多くの人は自分の自動車を持っており、長い時間の運転は運転者の脊椎に負担を負わせ、それにより身体の健康に影響を与え、それに現有の自動車シートは傾斜角度とハンドルとの距離しか調整できなく、高さも調整できなく、ところが女性運転者の身長が低くて、運転に不便である。
【先行技術文献】
【特許文献】
【０００３】
【特許文献１】中国特許出願公開第104276068号明細書
【発明の概要】
【発明が解決しようとする課題】
【０００４】
本発明の目的は自動車のマッサージクッションを提供し、上記背景技術に提出される問題を解決できる。
【課題を解決するための手段】
【０００５】
図１−３を参考して、本発明が提出する実施例：自動車マッサージクッションは、台座を含み、前記台座の上端面には昇降ブロックが設置されており、前記昇降ブロックの右端にはクッションが連結されており、前記クッションは前記昇降ブロックに対してスライドでき、前記クッションの上端面には背当てが固定的に設置されており、前記背当ての左端面には昇降溝が設置されており、前記昇降溝に対し前記昇降ブロックがスライドできるように連結されており、前記昇降溝の右端壁には位置制限溝が設置されており、前記昇降ブロックの右端面には位置制限ブロックが固定的に設置されており、前記位置制限ブロックが前記位置制限溝に対しスライド可能に連結されており、前記背当ての左端面には上下に対称的に前記背当てを固定できるゴムバンドが固定的に設置されており、前記背当ての上端面にはヘッドレストが固定的に設置されており、前記クッションの中には支持鋼板が設置されており、前記支持鋼板の下端面には左右に対称的に安定ブロックが固定的に設置されており、前記安定ブロックが前記クッションの下端面を貫通しており、前記台座の上端面には左右に対称的に安定溝が設置されており、前記安定ブロックが前記安定溝に対しスライド可能に連結されており、前記台座の中には調節溝が設置されており、前記調節溝の中には調節装置が設置されており、前記調節装置は前記支持鋼板の上下移動を駆動することによって、前記クッションの高さを調整し、前記背当ての中には上マッサージチャンバが設置されており、前記上マッサージチャンバの上下端壁の間には矩形スライド棒が固定的に連結され、前記矩形スライド棒には貫通スライダがスライドできるように連結され、前記貫通スライダの前後両端には短い軸が対称的に回転できるように連結され、二つの前記短い軸にはそれぞれ小歯車が固定的に設置されており、前記上マッサージチャンバの左端壁には前記小歯車と噛み合う長いラックが前後に対称的に設置されており、前記短い軸のうち前記矩形スライド棒から離れている一端にはマッサージブロックが固定的に設置されており、前記マッサージブロックにはマッサージできるマッサージヘッドが設置されており、前記上マッサージチャンバの左端壁には抜き穴が上下前後に対称的に設置されており、
前記抜き穴の左端には駆動チャンバが連通しており、前記駆動チャンバの中には駆動装置が設置されており、前記駆動装置は前記マッサージブロックの上下移動を制御でき、前記上マッサージチャンバの下端には下マッサージチャンバが設置されており、前記下マッサージチャンバの中にはマッサージ装置が設置されており、前記マッサージ装置は前記駆動装置の回転を制御する。
【０００６】
更なる技術方案、前記調節装置は前記調節溝の前後端壁において回転可能に設置される貫通軸を含み、前記貫通軸は前へ伸びて前記調節溝の前端壁を貫通して外部空間に入り、且つ前記台座の前端面の中には前記貫通軸が回転できるように連結され、前記貫通軸の前端には回転盤が固定的に設置されており、前記回転盤の前端面にはハンドルが回転できるように連結され、前記貫通軸のうち前記調節溝の中に位置する部分には第一ウォームが固定的に設置されており、前記調節溝の下端壁にはねじが回転できるように連結され、前記ねじの下端には前記第一ウォームと噛み合う第一ウォームホイールが固定的に設置されており、前記ねじの上端にはねじスリーブがネジ山により連結され、前記ねじスリーブの上端が前記調節溝の上端壁を貫通して且つ前記支持鋼板の下端面と固定的に連結され、前記ねじスリーブが、前記調節溝の上端壁と前記台座の上端面とスライドできるように連結されており、
前記ハンドルを回転させ、それにより前記回転盤の回転によって前記貫通軸と、前記第一ウォームを回転連動させ、それにより前記第一ウォームホイールと前記ねじを回転連動させ、それにより前記ねじスリーブを上下移動連動させ、それにより前記支持鋼板の上下移動によって前記クッションを上下移動連動させる。
【０００７】
更なる技術方案、前記駆動装置は前記駆動チャンバの前後端壁の中に回転可能に連結された駆動軸を含み、前記駆動軸が前記駆動チャンバの中に上下対称に設置されており、前記駆動軸の後端の外周には二つのプーリが設置されており、二つの前記プーリの間にはベルトが連結され、前記駆動軸の前端外周には紐輪が前後に対称的に固定的に設置されており、上端の前記紐輪は紐の一端と固定的に連結されており、二本の前記紐のもう一端はそれぞれ対応の前記抜き穴を貫通し前記上マッサージチャンバの中に入り、それぞれ対応している貫通スライダの上端面と固定的に連結され、下端の前記紐輪はそれぞれほかの二本の前記紐の一端と固定的に連結され、下端の二本の前記紐のもう一端がそれぞれ対応している前記抜き穴を貫通して前記上マッサージチャンバの中に入り、それぞれ対応している前記貫通スライダの下端面と固定的に連結され、その中の下端の前記駆動軸の最前端の外周には第二ウォームホイールが固定的に設置されており、
使用する時、前記駆動軸の回転によって、前記プーリによってすべての前記紐輪を回転連動させ、それにより前記紐によって前記貫通スライダを上又は下へ移動連動させ、前記長いラックによって前記短い軸を回転連動させ、前記マッサージブロックの回転と上下移動によって人の上脊椎をマッサージする。
【０００８】
更なる技術方案、前記マッサージ装置は前記下マッサージチャンバの左右端壁の中に回転可能に連結された連動軸を含み、前記連動軸が前記下マッサージチャンバの中に前後対称に設置されており、前記連動軸の右端には連結棒が固定的に設置されており、前記連結棒の右端面には回転軸が上下に対称的に回転できるように連結され、前記回転軸の右端には押さえてマッサージできる押さえヘッドが固定的に設置されており、前記連動軸の左端には噛み合う大歯車がそれぞれ固定的に設置されており、前記駆動チャンバの右端壁にはモーターが固定的に設置されており、前記モーターの右端と後端の前記連動軸が伝動できるように連結され、前端の前記連動軸が左へ伸びており、前記駆動チャンバの中に入り、且つ前記駆動チャンバの左右の端壁と回転できるように連結され、前端の前記連動軸のうち前記駆動チャンバの中に位置する部分には第二ウォームが固定的に設置されており、
前記第二ウォームと前記第二ウォームホイールと噛み合い、モーターを始動し、それにより連動軸によって前記大歯車の噛合によってもう一本の前記連動軸を回転連動させ、それにより前記連結棒を回転連動させ、それにより回転している前記押さえヘッドによって人の下脊椎を揉んでマッサージする。
【発明の効果】
【０００９】
本発明の有益な効果は下記の通りである：
【００１０】
本装置はシートの高さを調節でき、それにより背が低い女性運転者が適応な高さで自動車を操作できるようにさせ、同時に人の上下脊椎にそれぞれマッサージでき、運転者の脊椎の健康も保証できる。
【図面の簡単な説明】
【００１１】
【図１】は本発明の自動車マッサージクッションの全体断面の正面構成模式図であり    ；
【図２】は本発明の図１のＢ−Ｂ方向の断面図
【図３】は本発明の図１のＡ−Ａ方向の断面図
【図４】は本発明の図１のＣ−Ｃ方向の断面図
【発明を実施するための形態】
【００１２】
本説明書に公開されるいずれもの特徴、或いは公開されるいずれもの方法或いは過程中の順序は互いに排斥する特徴／或いは順序以外、いかなる方式によって組み合わせる。
【００１３】
本説明書（いかなる付加特許請求と、摘要と付図を含み）の中に公開されるいかなる特徴は特別な叙述以外、ほかの同等或いは似る目的のある切替特徴に切り替えられる。即ち、特別な叙述以外、特徴はシリーズの同等或いは似る特徴の中の一つの例だけである。
【００１４】
以下は図１−３について本発明にを詳しく説明し、その中、便利に叙述するように、現在は後文に出る方位を下記の通りに規定する：後文に出る上下左右前後方向は図１本体の投影関係の上下左右前後方向と一致する。
【００１５】
図１−３を参考して、本発明が提出する実施例：自動車マッサージクッションは、台座６５を含み、前記台座６５の上端面には昇降ブロック３２が設置されており、前記昇降ブロック３２の右端にはクッション４２が連結されており、前記クッション４２は前記昇降ブロック３２に対してスライドでき、前記クッション４２の上端面には背当て２２が固定的に設置されており、前記背当て２２の左端面には昇降溝３０が設置されており、前記昇降溝３０に対し前記昇降ブロック３２がスライドできるように連結されており、、前記昇降溝３０の右端壁には位置制限溝２９が設置されており、前記昇降ブロック３２の右端面には位置制限ブロック３１が固定的に設置されており、前記位置制限ブロック３１が前記位置制限溝２９に対しスライド可能に連結されており、前記背当て２２の左端面には上下に対称的に前記背当て２２を固定できるゴムバンド２４が固定的に設置されており、前記背当て２２の上端面にはヘッドレスト２１が固定的に設置されており、前記クッション４２の中には支持鋼板４１が設置されており、前記支持鋼板４１の下端面には左右に対称的に安定ブロック３３が固定的に設置されており、前記安定ブロック３３が前記クッション４２の下端面を貫通しており、前記台座６５の上端面には左右に対称的に安定溝３４が設置されており、前記安定ブロック３３が前記安定溝に対しスライド可能に連結されており、前記台座６５の中には調節溝３５が設置されており、前記調節溝３５の中には調節装置１０１が設置されており、前記調節装置１０１は前記支持鋼板４１の上下移動を駆動することによって、前記クッション４２の高さを調整し、前記背当て２２の中には上マッサージチャンバ５７が設置されており、前記上マッサージチャンバ５７の上下端壁の間には矩形スライド棒５２が固定的に連結され、前記矩形スライド棒５２には貫通スライダ４８がスライドできるように連結され、前記貫通スライダ４８の前後両端には短い軸５８が対称的に回転できるように連結され、二つの前記短い軸５８にはそれぞれ小歯車４９が固定的に設置されており、前記上マッサージチャンバ５７の左端壁には前記小歯車４９と噛み合う長いラック５３が前後に対称的に設置されており、前記短い軸５８のうち前記矩形スライド棒５２から離れている一端にはマッサージブロック５０が固定的に設置されており、前記マッサージブロック５０にはマッサージできるマッサージヘッド５１が設置されており、前記上マッサージチャンバ５７の左端壁には抜き穴５４が上下前後に対称的に設置されており、前記抜き穴５４の左端には駆動チャンバ２３が連通しており、前記駆動チャンバ２３の中には駆動装置１０２が設置されており、
前記駆動装置１０２は前記マッサージブロック５０の上下移動を制御でき、前記上マッサージチャンバ５７の下端には下マッサージチャンバ５６が設置されており、前記下マッサージチャンバ５６の中にはマッサージ装置１０３が設置されており、前記マッサージ装置１０３は前記駆動装置１０２の回転を制御する。
【００１６】
前記調節装置１０１は前記調節溝３５の前後端壁において回転可能に設置される貫通軸３７を含み、前記貫通軸３７は前へ伸びて前記調節溝３５の前端壁を貫通して外部空間に入り、且つ前記台座６５の前端面の中には前記貫通軸３７が回転できるように連結され、前記貫通軸３７の前端には回転盤６４が固定的に設置されており、前記回転盤６４の前端面にはハンドル６３が回転できるように連結され、前記貫通軸３７のうち前記調節溝３５の中に位置する部分には第一ウォーム３８が固定的に設置されており、前記調節溝３５の下端壁にはねじ３９が回転できるように連結され、前記ねじ３９の下端には前記第一ウォーム３８と噛み合う第一ウォームホイール３６が固定的に設置されており、前記ねじ３９の上端にはねじスリーブ４０がネジ山により連結され、前記ねじスリーブ４０の上端が前記調節溝３５の上端壁を貫通して且つ前記支持鋼板４１の下端面と固定的に連結され、前記ねじスリーブ４０が、前記調節溝３５の上端壁と前記台座６５の上端面とスライドできるように連結されており、前記ハンドル６３を回転させ、それにより前記回転盤６４の回転によって前記貫通軸３７と、前記第一ウォーム３８を回転連動させ、それにより前記第一ウォームホイール３６と前記ねじ３９を回転連動させ、それにより前記ねじスリーブ４０を上下移動連動させ、それにより前記支持鋼板４１の上下移動によって前記クッション４２を上下移動連動させる。
【００１７】
前記駆動装置１０２は前記駆動チャンバ２３の前後端壁の中に回転可能に連結された駆動軸２７を含み、前記駆動軸２７が前記駆動チャンバ２３の中に上下対称に設置されており、前記駆動軸２７の後端の外周には二つのプーリ２５が設置されており、二つの前記プーリ２５の間にはベルト５９が連結され、前記駆動軸２７の前端外周には紐輪２６が前後に対称的に固定的に設置されており、上端の前記紐輪２６は紐５５の一端と固定的に連結されており、二本の前記紐５５のもう一端はそれぞれ対応の前記抜き穴５４を貫通し前記上マッサージチャンバ５７の中に入り、それぞれ対応している貫通スライダ４８の上端面と固定的に連結され、下端の前記紐輪２６はそれぞれほかの二本の前記紐５５の一端と固定的に連結され、下端の二本の前記紐５５のもう一端がそれぞれ対応している前記抜き穴５４を貫通して前記上マッサージチャンバ５７の中に入り、それぞれ対応している前記貫通スライダ４８の下端面と固定的に連結され、その中の下端の前記駆動軸２７の最前端の外周には第二ウォームホイール６０が固定的に設置されており、
使用する時、前記駆動軸２７の回転によって、前記プーリ２５によってすべての前記紐輪２６を回転連動させ、それにより前記紐５５によって前記貫通スライダ４８を上又は下へ移動連動させ、前記長いラック５３によって前記短い軸５８を回転連動させ、前記マッサージブロック５０の回転と上下移動によって人の上脊椎をマッサージする。
【００１８】
前記マッサージ装置１０３は前記下マッサージチャンバ５６の左右端壁の中に回転可能に連結された連動軸４３を含み、前記連動軸４３が前記下マッサージチャンバ５６の中に前後対称に設置されており、前記連動軸４３の右端には連結棒４４が固定的に設置されており、前記連結棒４４の右端面には回転軸４５が上下に対称的に回転できるように連結され、前記回転軸４５の右端には押さえてマッサージできる押さえヘッド４６が固定的に設置されており、前記連動軸４３の左端には噛み合う大歯車４７がそれぞれ固定的に設置されており、前記駆動チャンバ２３の右端壁にはモーター２８が固定的に設置されており、前記モーター２８の右端と後端の前記連動軸４３が伝動できるように連結され、前端の前記連動軸４３が左へ伸びており、前記駆動チャンバ２３の中に入り、且つ前記駆動チャンバ２３の左右の端壁と回転できるように連結され、前端の前記連動軸４３のうち前記駆動チャンバ２３の中に位置する部分には第二ウォーム６２が固定的に設置されており、
前記第二ウォーム６２と前記第二ウォームホイール６０と噛み合い、モーター２８を始動し、それにより連動軸４３によって前記大歯車４７の噛合によってもう一本の前記連動軸４３を回転連動させ、それにより前記連結棒４４を回転連動させ、それにより回転している前記押さえヘッド４６によって人の下脊椎を揉んでマッサージする。
【００１９】
使用する時、ハンドル６３を振り、それにより回転盤６４の回転によって貫通軸３７と、第一ウォーム３８を回転連動させ、それにより第一ウォームホイール３６とねじ３９を回転連動させ、それによりねじスリーブ４０の上下移動を連動させ、それにより支持鋼板４１の上下移動によってクッション４２の高さを調整でき、そしてゴムバンド２４をシートに掛け、そしてモーター２８を始動し、それにより連動軸４３によって大歯車４７の噛合しによってもう一本の連動軸４３を回転連動させ、それにより連結棒４４を回転連動させ、それにより回転している押さえヘッド４６によって人の下脊椎に押さえてマッサージし、連動軸４３が回転してそれにより第二ウォーム６２によって第二ウォームホイール６０を回転連動させ、駆動軸２７の回転によって、それによりプーリ２５によってすべての紐輪２６を回転連動させ、それにより紐５５によって貫通スライダ４８を上へ移動連動させ、長いラック５３によって短い軸５８を回転連動させ、マッサージブロック５０が最上端に上昇する時、モーター２８を反転始動し、マッサージブロック５０を下へ移動連動させ、マッサージブロック５０の回転と上下移動によって人の上脊椎をマッサージする。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。